(57)【要約】【課題】空気の供給によって膨らみ、空気を排出することによりたたむことができるビニールハウス及びその使用方法を提供する。【解決手段】ビニールハウスが、かまぼこ形状のビニールシートと、ビニールシートの内面に格子状に接合され、管状の断面形状であって、空気を送ると膨らんでビニールシートをかまぼこ形状に形成する風船チューブ構造体と、ビニールシートの上部に相当する位置に接合する上部水風船と、ビニールシートの下部に相当する位置の風船チューブ構造体に接合する下部水風船とを備えている。上部水風船は、風船チューブ構造体がしぼんだ時に水が入れられ、下部水風船は、常に水が入れられる。【選択図】図３
2008035712.tif 000002
【特許請求の範囲】
【請求項１】
かまぼこ形状のビニールシートと、
前記ビニールシートの内面に格子状に接合され、管状の断面形状であって、空気を送ると膨らんで前記ビニールシートをかまぼこ形状に形成する風船チューブ構造体と、
前記ビニールシートの上部に相当する位置に接合する上部水風船と、
前記ビニールシートの下部に相当する位置の風船チューブ構造体に接合する下部水風船とを具備し、
前記上部水風船は、前記風船チューブ構造体がしぼんだ時に水が入れられ、
前記下部水風船は、常に水が入れられる
ビニールハウス。
【請求項２】
前記風船チューブ構造体に空気を送る風船チューブ構造体用送風管を備えた送風機を具備する
請求項１に記載のビニールハウス。
【請求項３】
前記風船チューブ構造体用送風管は、前記風船チューブ構造体用送風管から分岐して前記空間の内部に外気を送るビニールハウス内用送風管を具備する
請求項２に記載のビニールハウス。
【請求項４】
前記ビニールハウス内用送風管は、前記空間内に送る前記外気の量を調節するバルブを具備する
請求項３に記載のビニールハウス。
【請求項５】
前記送風機に電力を供給するために、太陽光を電気に変換する太陽光発電パネルを具備する
請求項２乃至４のいずれか一項に記載のビニールハウス。
【請求項６】
かまぼこ形状のビニールシートの内面に格子状に接合された、管状の断面形状を有する風船チューブ構造体に空気を送って前記風船チューブ構造体を膨らませるステップと、
前記ビニールシートの下部に相当する位置の風船チューブ構造体に接合する下部水風船に水を入れるステップと
を具備する
ビニールハウスの使用方法。
【請求項７】
かまぼこ形状のビニールシートの内面に格子状に接合された、管状の断面形状を有する風船チューブ構造体から空気を抜いて前記風船チューブ構造体をしぼませるステップと、
前記ビニールシートの上部に相当する位置に接合する上部水風船に水を入れるステップと
を具備する
ビニールハウスの使用方法。
【発明の詳細な説明】
【技術分野】
【０００１】
本発明は、作物の育苗・栽培のために用いるビニールハウス及びそのビニールハウスの使用方法に関する。
【背景技術】
【０００２】
作物等の育苗・栽培において、作物等を吹雪や暴風から守り、さらに作物等の育苗・栽培に適した気温に調整された空間を形成することを目的とする図１に示すようなビニールハウス１が用いられる。従来のビニールハウス１は、金属や塩化ビニール等で作られたパイプ２を地中１２’に差し込んで固定し、パイプ２に透明のビニールシート４を被せた構造である。ビニールハウス１の内部の空間を温調するために、ビニールハウス１の外部に温風器６が備えてあり、温風送風管８を介して、温風がビニールハウス１の内部に送られる。ビニールハウス１の内部では、作物１６が作物枠１０に区切られて置かれ、作業者１４が農薬散布等の作業を行う。
【０００３】
特許文献１に、金属等の剛性材料からなる線材を組み合わせて構成した支持枠体上に、可撓性膜体を載置して前記支持枠体内を気密的に覆蓋するとともに、前記可撓性膜体内にエアを送り込む送風機を前記支持枠体に設けたことを特徴とするエアテントハウスが開示されている（特許文献１参照）。
【０００４】
【特許文献１】特開２００２−１０７１３号公報
【発明の開示】
【発明が解決しようとする課題】
【０００５】
本発明の目的は、空気の供給によって膨らみ、空気を排出することによりたたむことができるビニールハウス及びそのビニールハウスの使用方法を提供することである。
【０００６】
本発明の他の目的は、空気の供給によって膨らみ、空気を排出することによりたたむことができるビニールハウスの内部に外気を送り、空間の気温を調整することができるビニールハウスを提供することである。
【０００７】
本発明の他の目的は、空気の供給によって膨らみ、空気を排出することによりたたむことができるビニールハウスに空気を供給する送風機に必要な電力が、太陽光を電気に変換する太陽光発電パネルから供給されるビニールハウスを提供することである。
【課題を解決するための手段】
【０００８】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００９】
本発明によるビニールハウス（１’）は、かまぼこ形状のビニールシート（２６，２８）と、ビニールシート（２６，２８）の内面に格子状に接合され、管状の断面形状であって、空気を送ると膨らんでビニールシート（２６，２８）をかまぼこ形状に形成する風船チューブ構造体（１８、２０ａ、２０ｂ、２０ｃ、２２）と、ビニールシート（２６，２８）の上部に相当する位置に接合する上部水風船（３０）と、ビニールシート（２６，２８）の下部に相当する位置の風船チューブ構造体（１８、２０ａ、２０ｂ、２０ｃ、２２）に接合する下部水風船（２４）とを具備し、上部水風船（３０）は、風船チューブ構造体（１８、２０ａ、２０ｂ、２０ｃ、２２）がしぼんだ時に水（３０’）が入れられ、下部水風船（２４）は、常に水（２４’）が入れられる。
【００１０】
本発明によるビニールハウス（１’）は、風船チューブ構造体（１８、２０ａ、２０ｂ、２０ｃ、２２）に空気を送る風船チューブ構造体用送風管（３６）を備えた送風機（３４）を備えている。
【００１１】
本発明によるビニールハウス（１’）は、風船チューブ構造体用送風管（３６）は、風船チューブ構造体用送風管（３６）から分岐して空間内に外気を送るビニールハウス内用送風管（３８）を備えている。
【００１２】
本発明によるビニールハウス（１’）は、ビニールハウス内用送風管（３８）は、空間（３２）の内部に送る外気の量を調節するバルブ（４０）を備えている。
【００１３】
本発明によるビニールハウス（１’）は、送風機（３４）に電力を供給するために、太陽光を電気に変換する太陽光発電パネル（４４）を備えている。
【００１４】
本発明によるビニールハウス（１’）の使用方法は、かまぼこ形状のビニールシート（２６、２８）の内面に格子状に接合された、管状の断面形状を有する風船チューブ構造体（１８、２０ａ、２０ｂ、２０ｃ、２２）に空気を送って風船チューブ構造体（１８、２０ａ、２０ｂ、２０ｃ、２２）を膨らませるステップと、ビニールシート（２６，２８）の下部に相当する位置の風船チューブ構造体に接合する下部水風船（２４）に水（２４’）を入れるステップとを備えている。
【００１５】
本発明によるビニールハウス（１’）の使用方法は、かまぼこ形状のビニールシート（２６，２８）の内面に格子状に接合された、管状の断面形状を有する風船チューブ構造体（１８、２０ａ、２０ｂ、２０ｃ、２２）から空気を抜いて風船チューブ構造体（１８、２０ａ、２０ｂ、２０ｃ、２２）をしぼませるステップと、ビニールシート（２６，２８）の上部に相当する位置に接合する上部水風船（３０）に水（３０’）を入れるステップとを備えている。
【発明の効果】
【００１６】
本発明によれば、空気の供給によって膨らみ、空気を排出することによりたたむことができるビニールハウス及びそのビニールハウスの使用方法が提供される。
【００１７】
本発明によれば、空気の供給によって膨らみ、空気を排出することによりたたむことができるビニールハウスの内部に外気を送り、空間の気温を調整することができるビニールハウスが提供される。
【００１８】
本発明によれば、空気の供給によって膨らみ、空気を排出することによりたたむことができるビニールハウスに空気を供給する送風機に必要な電力が、太陽光を電気に変換する太陽光発電パネルから供給されるビニールハウスが提供される。
【発明を実施するための最良の形態】
【００１９】
添付図面を参照して、本発明によるビニールハウスを実施するための最良の形態を以下に説明する。
【００２０】
（実施形態）
図２は、本発明に係るビニールハウス１’の側面図を示す。図３は、本発明に係るビニールハウス１’の図２におけるＡ−Ａ’断面図を示す。本発明に係るビニールハウス１’の構造について説明する。管状の断面形状の風船チューブ構造体が縦横に一定の間隔で格子状に交叉している。つまり、地表１２に垂直な方向を軸方向とする風船チューブ構造体と、地表１２に平行な方向を軸方向とする風船チューブ構造体が一定の間隔で交叉している。図２に示すように、ビニールハウス１’の長手方向を前後とすれば、前後の場所に配置される、地表１２に垂直な方向を軸方向とする縦風船チューブ構造体２２と、その前後の場所以外に配置される、地表１２に垂直な方向を軸方向とする縦風船チューブ構造体１８と、地表１２に平行な方向を軸方向とする横方向風船チューブ構造体２０ａ・２０ｂ・２０ｃとが、一定の間隔で格子状に交叉して配置されている。各風船チューブ構造体は、内部空間がつながっており、一箇所から空気を供給すれば全ての風船チューブ構造体が膨らむようになっている。空気の供給手段については後述する。なお、風船チューブ構造体の生地の材質は、布地に塩化ビニールをコーティングした生地や、布地にポリエチレンをコーティングした生地が例示される。
【００２１】
風船チューブ構造体に空気を供給し、膨らませると、図３に示すようにアーチ形状を断面とし、全体としてはかまぼこ形状の骨格をなすような形状が形成される。縦風船チューブ構造体１８・２２及び横風船チューブ構造体２０ａ・２０ｂ・２０ｃの外側には、上部透明ビニールシート２６が接合されている。また、ビニールハウス１’の前後の半円状の部分ににおいては、縦風船チューブ構造体２２の外側に、前後透明ビニールシート２８が接合される。
【００２２】
ビニールハウス１’の外部に、送風機３４を設置し、縦風船チューブ構造体１８・２２及び横風船チューブ構造体２０ａ・２０ｂ・２０ｃのいずれかの一箇所に、風船チューブ構造体用送風管３６が差込まれている。送風機３４が稼働し、空気が風船チューブ構造体用送風管３６を通って、各風船チューブ構造体に送り込まれると、各風船チューブ構造体は膨らむ。各風船チューブ構造体が膨らんだ結果、上部透明ビニールシート２６及び前後透明ビニールシート２８の内面に接合されている風船チューブ構造体が骨格となって立体的な形状をつくりあげ、全体の外観がかまぼこ形状のビニールハウス１’が形成される。
【００２３】
かまぼこ形状のビニールハウス１’が形成された結果、空間３２が形成される。空間３２は、作業者１４が立って作業をすることができる高さが確保される。また、空間３２には、作物１６及び作物を取り囲む作物枠１０を置くことができる。
【００２４】
ビニールハウス１’が風を受けても、飛ばないようにビニールハウス１’の下部の地表１２に近いところに、下部水風船２４を設ける。下部水風船２４は、風船チューブ構造体と同じように管状の断面形状をしており、下部水風船２４の中に水２４’をためておくことができる。水２４’が、ビニールハウス１’をその場所に固定するための重りとなるのである。その下部水風船２４をビニールハウス１’の下部の左右であって、図２に示すようにビニールハウス１’の前後方向に配置する。下部水風船２４は、縦風船チューブ構造体１８・２２に接合されている。また、下部水風船２４の生地の材質は、風船チューブ構造体と同じ材質であり、布地に塩化ビニールをコーティングした生地や、布地にポリエチレンをコーティングした生地が例示される。つまり、横風船チューブ構造体２０ａ・２０ｂ・２０ｃと同様な形態と材質で、ビニールハウス１’の下部に配置したものが、下部水風船２４なのである。
【００２５】
また、上部透明ビニールシート２６の外側であって、かつ、ビニールハウス１’の最上部に上部水風船３０を設ける。この上部水風船３０も、管状の断面形状をしており、下部水風船２４と同様に、中に水３０’をためておくことができる。なお、上部水風船３０は、図２に示すようにビニールハウス１’の前後方向に配置する。この水３０’は、ビニールハウス１’を図３のように膨らませた時には抜いておく。ビニールハウス１’をしぼませた時や完全にたたんだ時に、水３０’を上部水風船３０に入れるのである。ビニールハウス１’をしぼませた時や完全にたたんだ時に関する説明は、後述する。
【００２６】
ビニールハウス１’の外部に、温風器６を設置し、温風送風管８を介して、ビニールハウス１’の内部の空間３２に温風を送る。温風器６は、電気抵抗を熱に変えることにより暖められた空気を送風装置により送り出す構造の物や、灯油などの燃料を燃焼させて暖められた空気を送風装置により送り出す構造の物が例示される。そのような暖められた空気（以下、温風）は、空間３２の温度を適度に上げて、作物１６の育苗を促進させるために必要である。降りそそぐ太陽光線によって、ビニールハウス１’の内部の空間３２の気温が上がりすぎた場合、送風機３４に接続された風船チューブ構造体用送風管３６から分岐したビニールハウス内用送風管３８を通して、外気を空間３２に送り込んで空間３２の気温を下げることができる。当然ながら、その際の空間３２の気温が、外気の気温よりも低い場合、外気を空間３２に送り込んで空間３２の気温を下げる効果は無い。また、外気を空間３２に送り込む量を調整すれば、空間３２の気温を調整することができる。そこで、ビニールハウス内用送風管３８にはバルブ４０が備えてあり、手動あるいは自動により外気を空間３２に送り込む量を調整することができる。
【００２７】
当然ながらビニールハウス１’は屋外に設置するため、送風機３４や温風器６を稼働させるための電力確保が必要となる。ビニールハウス１’の近くに、電力の供給を受けることができるコンセントがあって、送風機電源線４２をそのコンセントに差し込むことができるのであればよいが、山中や田畑等においては、そのようなコンセントが無い場合が考えられる。図示しない発電機を稼働させて、送風機３４や温風器６の電力は発電機から供給を受けることも考えられる。しかし、発電機を稼働させるためにはガソリン等の燃料を必要とするため、送風機３４や温風器６が連続稼働するには、定期的な燃料補給が欠かせない。そこで、送風機電源線４２を太陽光発電パネル４４に接続することで、送風機３４は太陽光発電パネル４４から電力の供給を受けることができる。太陽光発電パネル４４は、太陽光線のエネルギーを電気に変換する半導体光起電素子を複数個並べたものである。つまり、太陽光発電パネル４４が、太陽光線のエネルギーを電気に変換し、その電気を図示しない蓄電池に送り続ける限り、送風機３４は、連続稼働することができる。なお、太陽光発電パネル４４を温風器６の図示しない温風器電源線に接続すれば、温風器６にも電力が供給される。
【００２８】
次にビニールハウス１’の各風船チューブ構造体の空気を抜いて、ビニールハウス１’をしぼませた場合について説明する。図４は、本発明に係るビニールハウス１’がしぼんだ時の図２のＡ−Ａ’断面図を示す。縦風船チューブ構造体１８・２２及び横風船チューブ構造体２０ａ・２０ｂ・２０ｃのいずれかの少なくとも一箇所に、図示しない空気を抜くための栓を設けて、その栓を抜くことで風船チューブ構造体内の空気を抜くことができる。あるいは、送風機３４が風船チューブ構造体に空気を送風する際の送風機３４のファンの回転方向と逆に回転するように、電気の流れを切り替えて、風船チューブ構造体内の空気を抜くこともできる。
【００２９】
風船チューブ構造体内の空気を抜くと、風船チューブ構造体がしぼんで空間３２は無くなり、各風船チューブ構造体及び各ビニールシートが、作物枠１０に覆い被さる。そして、上部水風船３０に、図示しないポンプが水３０’を注入する。上部水風船３０に入れられた水３０’が重りとなって、しぼんだ各風船チューブ構造体及び各ビニールシートが、風を受けてばたつくことを抑える。このように、ビニールハウス１’をしぼませることを必要とする場合は、台風などの影響により風が強い日、作業者１４が作業を行わないため空間３２を必要としない日、夜間である。台風などの影響により風が強い日、図１に示すような従来のビニールハウス１が風をまともに受けると、ビニールハウス１のビニールシートが損傷を受けたりビニールハウス１が倒壊することがある。従来のビニールハウス１は、風を受ける面積が広いが、本発明に係るビニールハウス１’は、台風などの悪天候時にしぼませることができるため、全体に高さが低く、風を受ける面積が狭い。したがって、本発明に係るビニールハウス１’は、風の影響を受け難く損傷を受けない。また、作業者１４が作業を行わない日や夜間は、空間３２を必要としないので、ビニールハウス１’をしぼませる。その結果、ビニールハウス１’が膨らんだ場合に比べて、しぼんだ場合は温風器６で温風を送る量を減らすことができ、温風器６を稼働させるための電気代あるいは燃料代を節約することができる。
【００３０】
また、本発明に係るビニールハウス１’は、上記のように一時的に高さを下げることができるので、ビニールハウス１’の上面を清掃する等のメンテナンスや、ビニールハウス１’の上面に寒冷紗を張る等の作業を容易に行うことができる。
【００３１】
特に風が強い悪天候である場合、作物１６を作物枠１０とともにビニールハウス１’の外に退避することができる。作物枠１０には、土壌と共に作物１６が植えられており、作物枠１０の底面に図示しない台車があり、作物枠１０は移動可能である。作物１６が作物枠１０とともにビニールハウス１’の外に退避されれば、ビニールハウス１’は、完全にたたむことができる。図５は、本発明に係るビニールハウス１’がたたまれた時の図２のＡ−Ａ’断面図を示す。ビニールハウス１’をたたんで、倉庫などの建物内に収容することもできるが、屋外にたたんでおく場合の方法を図５は示している。ビニールハウス１’をたたんだだけでは、風によりビニールハウス１’が飛んだり、ばたつきによる損傷が発生してしまう。よって、上部水風船３０に、水３０’が入れられ、下部水風船２４にも、水２４’が入れられておくことにより、上部水風船３０及び下部水風船２４が重りの役割を担う。さらに、たたんだビニールハウス１’にネット４６をかぶせ、ネット４６を地表１２に固定具４８で固定する。固定具４８は、キャンプで使用されるテントの固定に用いるペグのような杭であればよい。このように収納することで、強い風により、ビニールハウス１’が飛んだり、損傷を受けたりすることを防止することができる。
【図面の簡単な説明】
【００３２】
【図１】図１は、従来のビニールハウスの断面図を示す。
【図２】図２は、本発明に係るビニールハウスの側面図を示す。
【図３】図３は、本発明に係るビニールハウスのＡ−Ａ’断面図を示す。
【図４】図４は、本発明に係るビニールハウスがしぼんだ時のＡ−Ａ’断面図を示す。
【図５】図５は、本発明に係るビニールハウスがたたまれた時のＡ−Ａ’断面図を示す。
【符号の説明】
【００３３】
１    ：従来のビニールハウス
１’  ：ビニールハウス
２    ：パイプ
４    ：ビニールシート
６    ：温風器
８    ：温風送風管
１０  ：作物枠
１２  ：地表
１２’：地中
１４  ：作業者
１６  ：作物
１８  ：縦風船チューブ構造体
２０ａ：横風船チューブ構造体
２０ｂ：横風船チューブ構造体
２０ｃ：横風船チューブ構造体
２２  ：縦風船チューブ構造体
２４  ：下部水風船
２４’：水
２６  ：上部透明ビニールシート
２８  ：前後透明ビニールシート
３０  ：上部水風船
３０’：水
３２  ：空間
３４  ：送風機
３６  ：風船チューブ構造体用送風管
３８  ：ビニールハウス内用送風管
４０  ：バルブ
４２  ：送風機電源線
４４  ：太陽光発電パネル
４６  ：ネット
４８  ：固定具
【図１】
2008035712.tif 000003
【図２】
2008035712.tif 000004
【図３】
2008035712.tif 000005
【図４】
2008035712.tif 000006
【図５】
2008035712.tif 000007